(57)【要約】【課題】  液体洗剤、入浴剤、シャンプー、リンス、油脂等の詰替え用袋は柔軟で取扱い難く、切断した注出口からの小さいボトルの口への注入は難しく、内容液を無駄にしたくないと切に思う消費者にとっては袋自体をしごいて絞り出そうとするがボトル外への液漏れを起こすなど、詰替え作業が煩わしいという問題点があったので、この詰替え作業を円滑に行うことができるように、詰替え用袋に取付けて使用する詰替え具を提供する。【解決手段】  粘着面の一部に剥離ライナーを貼り合わせた２枚の粘着シート３および４によってプラスチックチューブ２を挟み、双方の粘着シートの粘着面を夫々プラスチックチューブに貼り付け且つ粘着面を貼り合わせた詰替え具１であって、詰替え用袋１２の抽出口１５にチューブ先端を挿入すると共に、剥離ライナーを剥がした粘着面を詰替え用袋のフィルム表面に貼り付けることによってチューブによる液体流路が延長できるようにした。【選択図】図５
2013154957.tif 000002
【特許請求の範囲】
【請求項１】
粘着面の一部に剥離ライナーを貼り合わせた粘着シート２枚によって、双方の粘着シートが表裏一体となるようにプラスチックチューブを挟み、剥離ライナーのない粘着面をプラスチックチューブに貼り付け且つ粘着面を向き合うように貼り合わせた詰替え具であって、詰替え用袋の注出口にプラスチックチューブの先端を挿入し、剥離ライナーを剥がした粘着面を詰替え用袋の表面に貼り付けてシールし、プラスチックチューブによる液体の流路延長が形成されるようにしたことを特徴とする詰替え具。
【請求項２】
上記プラスチックチューブは、断面の輪郭を両甲丸形ないし楕円形ないし丸形にしたことを特徴とする請求項１の詰替え具。
【発明の詳細な説明】
【技術分野】
【０００１】  本発明は、液体洗剤、入浴剤、シャンプー、リンス、油脂等の詰替え用袋に取付けて使用する詰替え具に関する。
【背景技術】
【０００２】  液体洗剤、入浴剤、シャンプー、リンス、油脂等は、通常プラスチックボトルやガラス瓶に詰められて販売され、そのまま使用できるようになっている。このプラスチックボトル等に詰められた液体洗剤等を使い切った場合は、改めて新しい内容液入りのプラスチックボトル等を購入することはできるが、このボトル等を再使用するために内容液入りの詰替え用袋での販売が一般化されていて、省資源化の目的で多く用いられる傾向にある。
【先行技術文献】
【特許文献】
【０００３】
【特許文献１】特開２００８−７４４７９号  公報
【特許文献２】特開２００９−５７０７１号  公報
【発明の概要】
【発明が解決しようとする課題】
【０００４】  従前から使用されている詰替え用袋は、一般的にプラスチックフィルムを貼り合わせて形成されており、特許文献１、特許文献２に開示された詰替え用袋は、袋本体上部の一部に設けられた突起状注出部を切断して注出口とし、この注出口をボトル等の口にあてがったり挿し込んだりして詰め替え作業がなされる。このプラスチックフィルムによって作成された詰替え用袋は柔軟で取扱い難く、切断したその注出口は短くてボトルの小さい口への注入は難しく、詰め替え作業ではボトルと詰替え袋を保持しつつ注意深くゆっくりと行わなければならず、ある程度の技量も必要であった。また、内容液をこぼさないよう注出口をボトル内により深く挿し込もうとすると、流路の閉塞状態が生じやすくなるなど、円滑に行えないという問題点があった。特に、高粘度溶液の詰め替え作業においては袋内に内溶液が残り易いので、内容液を無駄にしたくないと切に思う消費者にとってはいらだちを感じることとなり、袋自体をしごいて絞り出そうとするので、往々にしてボトルの外に液漏れをさせてしまうとか、ボトルを転倒させてしまうなどのトラブルも起きていた。
本発明は、この詰め替え作業を円滑に行うことができるように、詰替え用袋に取付けて使用できる新規な詰替え具を提供することを目的とする。
【課題を解決するための手段】
【０００５】  この目的を達成するために、本発明の詰替え具は、粘着面の一部に剥離ライナーを貼り合わせた粘着シート２枚によって、双方の粘着シートが表裏一体となるようにプラスチックチューブを挟み、剥離ライナーのない粘着面をプラスチックチューブに貼り付け且つ粘着面を向き合うように貼り合わせた詰替え具であって、詰替え用袋の注出口にプラスチックチューブの先端を挿入し、剥離ライナーを剥がした粘着面を詰替え用袋の表面に貼り付けてシールし、プラスチックチューブによる液体の流路延長が形成されるようにしたことを特徴とする詰替え具を提供する。【０００６】  また、上記プラスチックチューブは、断面の輪郭を両甲丸形にすることが好ましいが、楕円形ないし丸形にしてもよいし、部分的に変化させてもよい。
【発明の効果】
【０００７】  本発明によれば、詰替え具の取付け方法は、詰替え用袋の注出口に対してプラスチックチューブを挿入し、剥離ライナーを剥がして粘着面を詰替え用袋のフィルム表面に貼り付けるという至って簡単なものであり、チューブの流路が形成されることによってボトルの口に長い流路部を挿し込むことができるので、ボトルの外への液漏れを起こさずに素早く、詰替え作業を効率的にできるという効果がある。特に高粘度の内容液でも流れはスムーズで、最後に残った内容液を絞り出すことも容易にできるようになるなど、詰め替え作業の煩わしさを解消できる効果がある。【０００８】  詰替え具の取付けは、詰替え用袋に突起状注出部が設けられている場合でも、特に突起状注出部が設けられておらずに詰替え用袋の上方角部をカットして注出口とする場合でも確実に実施できる効果がある。チューブが挿入されることによって注出口での閉塞が起きなくなり、詰替え用袋の表面に貼り付ける粘着面によって注出口周辺も隙間なくシールされるので、液漏れが起きないチューブの流路接続ができるという効果がある。【０００９】  また、プラスチックチューブの断面の輪郭が楕円形ないし丸形でも機能的には同じであり目的は達成できるが、両甲丸形にした方が粘着シートとプラスチックチューブとのシール際に隙間が生じにくく且つ粘着面どうしの貼り合わせが容易となり、また、詰替え具を詰替え用袋に取付ける際には、チューブが平に変形し易いことによって粘着シートに皺が生じることなく貼り付けがし易くなるという効果がある。
【図面の簡単な説明】
【００１０】
【図１】本発明の実施形態を示す詰替え具の平面図
【図２】図１におけるＡ−Ａ断面図
【図３】図１におけるＢ−Ｂ断面図
【図４】図１におけるＣ−Ｃ断面図
【図５】本発明の詰替え用袋への取付け状態を示す平面図
【図６】図５における取付け途中経過状態のＤ−Ｄ断面図
【図７】図５における取付け完了状態のＤ−Ｄ断面図
【図８】図５におけるＥ−Ｅ断面図
【図９】本発明の他の取付け状態を示す平面図
【図１０】交換用粘着シートの平面図
【図１１】図１０におけるＦ−Ｆ断面図
【発明を実施するための形態】
【００１１】  以下、本発明の実施の形態を図１〜図４に基づいて説明する。
図１および図２に示すように、詰替え具１はプラスチックチューブ２、２枚の略四角形の粘着シート３および４、剥離ライナー５および６で構成される。２枚の粘着シートの粘着面７および８の一部には夫々剥離ライナー５および６を貼り合わせてあって、図２〜図４に示すように粘着シート３および４が表裏一体となるようにプラスチックチューブ２を挟み、剥離ライナーのない粘着面７および８を夫々、プラスチックチューブ２に貼り付け、且つ粘着面を向き合うように貼り合わせる。
【００１２】  図３の（ａ）、（ｂ）、（ｃ）は、プラスチックチューブ２の断面の輪郭を両甲丸形としたプラスチックチューブ２ａ、楕円形としたプラスチックチューブ２ｂ、丸形としたプラスチックチューブ２ｃの夫々のＢ−Ｂ断面図を示すが、粘着シート３および４とプラスチックチューブとの夫々のシール際９ａ、９ｂ、９ｃは、出来るだけ滑らかな角度になっていることがシールし易くて隙間が生じにくく液漏れを起こさないことから両甲丸形断面のプラスチックチューブ２ａとするのが望ましい。また、図４の（ａ）、（ｂ）、（ｃ）は、プラスチックチューブ２ａ、２ｂ、２ｃの夫々のＣ−Ｃ断面図を示すが、粘着シート３と４を指力で出来るだけ平らに変形させ易いことによって粘着シートに皺が生じることなく貼り付けができ、注出口周辺のシールが容易にできることから両甲丸形断面のプラスチックチューブ２ａとするのが望ましい。
【００１３】  プラスチックチューブ２は、ボトルの口に長い流路１０の部位を挿し込み、また詰替え用袋に先端部１１を挿入するための任意の適度な長さとする。また、詰替え用袋の注出口にプラスチックチューブを挿入し易くするために先端部１１を適度な角度で斜めカットするのが望ましい。
【実施例】
【００１４】  以下、本発明の実施例を説明する。
図５は、本発明の詰替え具１を詰替え用袋１２に取付けた状態を示した平面図である。詰替え用袋１２の突起状注出部１３の切断線部１４で開口された詰替え用袋の注出口１５に対して、図６に示すようにプラスチックチューブ２の先端部１１を挿入した後、剥離ライナー５および６を剥がし取り、図７および図８に示すように粘着面７および８を注出口１５のフィルム表面に貼り付ける。図８の（ａ）、（ｂ）、（ｃ）は、プラスチックチューブ２の断面の輪郭を両甲丸形としたプラスチックチューブ２ａ、楕円形としたプラスチックチューブ２ｂ、丸形としたプラスチックチューブ２ｃの夫々のＥ−Ｅ断面図を示すが、粘着面７と８は注出口１５の外周でも貼り合わせられ、粘着シートと注出口のシール際１７ａ、１７ｂ、１７ｃが隙間なくシールされるので液漏れが生じることはなく、詰替え用袋１２の注出口の流路１６がプラスチックチューブ２の流路１０に確実に接続される。【００１５】  図９は、特に突起状の注出口が設けられておらずに上方角部１９を切断して注出口２０を作成するタイプの詰替え用袋１８に、本発明を取付けた場合を示すものである。この場合でも、本発明の詰替え具１の取付け方法は前述の図６〜図８の説明と同様である。【００１６】  本発明の詰替え具１の流路部を形成するプラスチックチューブ２は、一般的に薄肉パイプとして多用されているストローを使用するのが経済的であり、機能的にも適当な材料である。断面の輪郭形状が丸形であるストローは、加工することによって楕円形もしくは両甲丸形を得るのは比較的容易であるが、詰替え具の製作および取付けに際しては、平らに変形し易いというのが粘着シートの貼り付けや貼り合わせ作業に有利であることから、両甲丸形とした方が機能上最良である。また、平らに変形したストローは弾力および復元力が有り、詰替え作業中に注出口の閉塞を起こすことなどはなく、流路として十分な機能を発揮させることができる。また、本発明の詰替え具１の粘着シート３および４は同じ形状のものを使用でき、材料としては一般的に使用されている布等の支持体に粘着剤が塗工された粘着テープを使用するのが経済的であり、詰替え用袋やプラスチックチューブへの粘着力、シール際のシール機能は十分なものが得られる。【００１７】  本発明の詰替え具１は詰替え用袋に貼り付けて使用し、最終的には液体で濡れてしまうので、剥がしてそのまま他の詰替え用袋に取付けて再使用することは液漏れの要因となるので難しいが、粘着シートを新しいものに交換すればプラスチックチューブ２を流用して繰返し使用することができる。図１０および図１１は交換用粘着シート２１を示し、略２分割された剥離ライナー２２および２３が貼り合わせてある。交換用粘着シート２１は、使用後の粘着シート３および４を除去したプラスチックチューブ２に対して２枚を使用し、剥離ライナー２２を剥がして図１および図２で示した実施形態と同様に貼り付ける。【００１８】  また、本発明の詰替え具１は内容液入りの詰替え用袋に添付すれば、詰替え具付き詰替え用製品として提供することができ、詰替え用製品の利用促進にも役立てることができる。この場合、詰替え具の添付態様には特に制限はなく、詰替え具１を内容液が充填された詰���え用袋に剥離可能なように貼り付けてもよく、内容液が充填された詰替え用袋と共に一つのパッケージに収容してもよい。また、詰替え具を使用して詰め替えを行うという前提にすれば、詰替え用袋には図５のように特に突起状注出部を設ける必要がないので、図９のような経済的な詰替え用袋にすることができる。
【符号の説明】
【００１９】  １                詰替え具
２、２ａ、２ｂ、２ｃ  プラスチックチューブ
３、４            粘着シート
５、６            剥離ライナー
７、８            粘着面
９ａ、９ｂ、９ｃ  シール際
１０              流路
１１              先端部
１２              詰替え用袋
１３              突起状注出部
１４              切断線部
１５              注出口
１６              注出口の流路
１７ａ、１７ｂ、１７ｃ  シール際
１８              詰替え用袋
１９              上方角部
２０              注出口
２１              交換用粘着シート
２２、２３        剥離ライナー
【図１】
2013154957.tif 000003
【図２】
2013154957.tif 000004
【図３】
2013154957.tif 000005
【図４】
2013154957.tif 000006
【図５】
2013154957.tif 000007
【図６】
2013154957.tif 000008
【図７】
2013154957.tif 000009
【図８】
2013154957.tif 000010
【図９】
2013154957.tif 000011
【図１０】
2013154957.tif 000012
【図１１】
2013154957.tif 000013